(57)【要約】      （修正有）【課題】人による風合い評価、すなわちパイル表面を自由に触れて、撫でることからくる手ざわりを踏まえた評価をすることができるカーペットの風合い試験装置を提供する。【解決手段】カーペットの風合い試験装置は、摩擦子２と、摩擦子を略水平方向に牽引する牽引手段３と、牽引手段に連結されたロードセル４と、ロードセルを移動する移動手段５と、を備え、カーペット表面と接する側の摩擦子の下面に起伏がある。さらに、摩擦子を略水平方向に牽引する速度が１０〜２５ｍｍ／秒で、摩擦子の質量が１５０〜５００ｇであるのが好ましい。【選択図】図１
0003215700.tif 000002
【実用新案登録請求の範囲】
【請求項１】
カーペット表面の摩擦抵抗を測定する試験装置において、
摩擦子と、
該摩擦子を略水平方向に牽引する牽引手段と、
該牽引手段に連結されたロードセルと、
該ロードセルを移動する移動手段と、
を備え、
カーペット表面と接する側の前記摩擦子の下面に起伏があることを特徴とするカーペットの風合い試験装置。
【請求項２】
前記摩擦子の下面の起伏が波形であり、前記波形の波頂間距離が５〜１００ｍｍで、前記波形の波頂高さが５〜２５ｍｍである請求項１に記載のカーペットの風合い試験装置。
【請求項３】
前記摩擦子の下面の起伏が山形であり、前記山形の山頂間距離が５〜１００ｍｍで、前記山形の山頂高さが５〜２５ｍｍである請求項１に記載のカーペットの風合い試験装置。
【請求項４】
前記摩擦子の下面を構成する材料の摩擦抵抗が０．５〜６．０Ｎである請求項１〜３のいずれか１項に記載のカーペットの風合い試験装置。
【請求項５】
前記摩擦子を略水平方向に牽引する速度が１０〜２５ｍｍ／秒で、前記摩擦子の質量が１５０〜５００ｇである請求項１〜４のいずれか１項に記載のカーペットの風合い試験装置。
【考案の詳細な説明】
【技術分野】
【０００１】
本考案は、パイル糸を有するカーペットの風合いを評価するための試験装置に関する。
【背景技術】
【０００２】
従来から繊維製品の表面特性については、織物の表面のたて、よこ、バイアス方向等の摩擦係数を測定することが行われ、平織、朱子織、綾織等の織組織による違いなど織物表面の粗さ（凹凸性）と、表面摩擦（滑りにくさ）について検討されてきた。
【０００３】
また、繊維全般、布地、紙や不織布等の表面特性を試験する表面試験機が知られている。例えば、ＫＥＳ（Ｋａｗａｂａｔａ  Ｅｖａｌｕａｔｉｏｎ  Ｓｙｓｔｅｍ）を挙げることができる。ＫＥＳでは、摩擦係数、摩擦係数の変動、表面粗さのデータが得られ、表面摩擦・粗さ特性データは、「ふくらみ」、「ぬめり」、「しゃり」といった風合いに影響するといわれている。
【０００４】
また、カーペットの手触り、踏み心地等のパイル圧縮に関する官能値を定量的に測定する圧縮試験装置が知られている。例えば、特許文献１には、試料片戴置台の上方に、上下動可能な基盤を設け、基盤の下面に、先端部を曲面状に形成した圧縮棒を複数突設し、圧縮棒の先端部にて試験片の表面を圧縮するようにしたカーペットの圧縮試験装置が記載され、さらに圧縮棒は直径１０〜５０ｍｍの円柱が好ましく、この円柱の本数が４〜８本が好ましいことが記載されている。そして、この圧縮棒がカーペットのパイルを押圧するので、パイルがランダムに種々の方向に押し倒され、実際に手で触ったり、足で踏んだときに近い状態に圧縮することができるため、フェルト状カーペットとベロア調カーペットの毛捌きの差を検知することができたと記載されている。
【先行技術文献】
【特許文献】
【０００５】
【特許文献１】公開実用新案昭５６−１１１１９５号公報
【考案の概要】
【考案が解決しようとする課題】
【０００６】
しかしながら、織物の表面試験機では、パイル糸を有するカーペットは、織物等の布地と異なり、パイル糸を有することから従来の摩擦係数の測定をそのまま適用しても、人の風合い評価と必ずしも一致するとは言い難かった。また、特許文献１に記載のカーペットの圧縮試験装置は、圧縮棒によってフェルト状とベロア調のカーペットを峻別することはできるが、パイル糸を有するカーペット、例えばタフテッドカーペット、フックカーペットやマットにおいては、パイル表面の手ざわり、すなわち風合いの良さについて、人が触れることで風合いを感じ評価する際に押圧だけでなく、自由に撫でることからくる官能評価に沿うものとは言い難かった。
【０００７】
本考案は、かかる技術的背景に鑑みてなされたものであって、人による風合い評価、すなわちパイル表面を自由に触れて、撫でることからくる手ざわりを踏まえた評価をすることができるカーペットの風合い試験装置を提供することを目的とする。
【課題を解決するための手段】
【０００８】
上記目的を達成するために、本考案は以下の手段を提供する。
【０００９】
[１] カーペット表面の摩擦抵抗を測定する試験装置において、
摩擦子と、
該摩擦子を略水平方向に牽引する牽引手段と、
該牽引手段に連結されたロードセルと、
該ロードセルを移動する移動手段と、
を備え、
カーペット表面と接する側の前記摩擦子の下面に起伏があることを特徴とするカーペットの風合い試験装置。
【００１０】
[２] 前記摩擦子の下面の起伏が波形であり、前記波形の波頂間距離が５〜１００ｍｍで、前記波形の波頂高さが５〜２５ｍｍである前項１に記載のカーペットの風合い試験装置。
【００１１】
[３]前記摩擦子の下面の起伏が山形であり、前記山形の山頂間距離が５〜１００ｍｍで、前記山形の山頂高さが５〜２５ｍｍである前項１に記載のカーペットの風合い試験装置。
【００１２】
[４] 前記摩擦子の下面を構成する材料の摩擦抵抗が０．５〜６．０Ｎである前項１〜３のいずれか１項に記載のカーペットの風合い試験装置。
【００１３】
[５] 前記摩擦子を略水平方向に牽引する速度が１０〜２５ｍｍ／秒で、前記摩擦子の質量が１５０〜５００ｇである前項１〜４のいずれか１項に記載のカーペットの風合い試験装置。
【考案の効果】
【００１４】
[１]の考案によれば、カーペットのパイル表面を自由に触れて、撫でることからくる手ざわりを踏まえた評価をすることができるカーペットの風合い試験装置を提供できる。
【００１５】
[２]の考案によれば、摩擦子の下面の起伏が波形であり、波形の波頂間距離が５〜１００ｍｍで、波形の波頂高さが５〜２５ｍｍであることから、表面がパイル糸で構成されたカーペットの風合いについて、より一層人による手ざわりを踏まえた評価することができるカーペットの風合い試験装置を提供できる。
【００１６】
[３]の考案によれば、摩擦子の下面の起伏が山形であり、山形の山頂間距離が５〜１００ｍｍで、山形の山頂高さが５〜２５ｍｍであることから、表面がパイル糸で構成されたカーペットの風合いについて、より一層人による手ざわりを踏まえた評価することができるカーペットの風合い試験装置を提供できる。
【００１７】
[４]の考案によれば、摩擦子の下面を構成する材料の摩擦抵抗が０．５〜６．０Ｎであることから、表面がパイル糸で構成されたカーペットのパイル表面を自由に触れる際の抵抗感を手ざわりとして評価することができるカーペットの風合い試験装置を提供できる。
【００１８】
[５] の考案によれば、摩擦子を略水平方向に牽引する速度が１０〜２５ｍｍ／秒で、摩擦子の質量が１５０〜５００ｇであることから、表面がパイル糸で構成されたカーペットの風合いについて、一段と感性に近づき人による手ざわりを踏まえた評価することができるカーペットの風合い試験装置を提供できる。
【図面の簡単な説明】
【００１９】
【図１】本考案に係るカーペットの風合い試験装置の一実施形態を示す側面図である。
【図２】図１の試験装置を構成する摩擦子の一例を示す側面図である。
【図３】摩擦子の別の例を示す側面図である。
【考案を実施するための形態】
【００２０】
図１に本考案に係るカーペットの風合い試験装置の一実施形態として側面図を示す。本発明のカーペットの風合い試験装置（１）は、摩擦子（２）と、摩擦子（２）を略水平方向に牽引する牽引手段（３）と、牽引手段（３）に連結されたロードセル（４）と、ロードセル（４）を移動する移動手段（５）と、を備え、カーペット表面と接する側の摩擦子（２）の下面に起伏があることを特徴とする。図１に示すように、例えばモータ（６）の回転により、モータ（６）の回転を伝える軸に直結した移動手段（５）（図中では、螺旋状に溝を設けた棒）によって、上下にロードセル（４）を移動させることができる。ロードセル（４）はプレート（７）に取付け吊り下げられており、モータ（６）の回転にともなってプレート（７）が上昇することで、ロードセル（４）に連結された牽引手段（３）によって、摩擦子（２）が略水平方向に牽引される。摩擦子（２）は試験片（１１）の表面に戴置され、図１の右方向に試験片（１１）の表面からの力に抗しながら移動する。この際の力をロードセル（４）によって時間の経過とともに測定することができる。試験片（１１）はストッパー（１２）によって位置がずれないよう規制されている。なお、牽引手段（３）は自由回転可能な滑車（８）にかけられ、滑車（８）はテーブル（９）に滑車保持手段（１０）によって取り付けられている。また、モータ（６）は支柱（１３）上部に取り付けられている。図示していないが、プレート（７）にはモータ（６）の回転にともなってプレート（７）が回転しないようにスライダーに連結されている。こうして、カーペットの手ざわりを踏まえた評価をすることができるカーペットの風合い試験装置（１）となる。
【００２１】
本考案の摩擦子（２）の素材としては、特に限定されないが、例えば樹脂や金属やこれらの組合せを挙げることができる。さらに摩擦子（２）の下面に異素材を積層しても良いし、被覆してもよく、合成皮革、人工皮革、繊維布帛を例示できる。なかでも摩擦子（２）の下面を構成する材料の摩擦抵抗は、０．５〜６．０Ｎの範囲が好ましいことから、合成皮革を被覆した摩擦子が好ましい。摩擦抵抗をこの範囲にすることで、カーペットの表面を構成するパイル層から受ける力が手触りを踏まえた風合いに関係するものとして摩擦子（２）に伝わるので好ましい。
【００２２】
また、摩擦子（２）下面の起伏としては、起伏が形成されていれば特に限定されないが、起伏の形状は波形、山形やこれらの組合せを挙げることができる。なかでも波形や山形が好ましい。
【００２３】
摩擦子の一例を示す側面図を図２に示す。摩擦子（２）下面の起伏として、波形の波頂間距離ｄが５〜１００ｍｍの範囲で、かつ波形の波頂高さｈが５〜２５ｍｍの範囲が好ましい。この範囲にすることで、より一層人による手ざわりを踏まえた評価することができる。すなわち、手のうちの指先で触れたりすることを始め、複数の指の腹で擦ったり、概ね掌で撫でたり、さらにパイル面を押圧してみたりする際のカーペットの表面を構成するパイル層から受ける力が摩擦子（２）に伝わるので好ましい。
【００２４】
摩擦子の別の例を示す側面図を図３に示す。摩擦子（２）下面の起伏として、山形の山頂距離ｄ‘が５〜１００ｍｍの範囲で、かつ山形の山頂高さｈ’が５〜２５ｍｍの範囲が好ましい。この範囲にすることで、より一層人による手ざわりを踏まえた評価することができる。すなわち、手のうちの指先で触れたりすることを始め、複数の指の腹で擦ったり、概ね掌で撫でたり、さらにパイル面を押圧してみたりする際のカーペットの表面を構成するパイル層から受ける力が摩擦子（２）に伝わるので好ましい。
【００２５】
また、摩擦子（２）の質量が１５０〜５００ｇの範囲が好ましい。この範囲にすることで、カーペット表面のパイル面上で摩擦子（２）が徒に暴れるのを抑制できるとともに、パイル表面のパイル糸先端やパイル糸側面の抗する力を反映するので好ましい。
【００２６】
なお、摩擦子（２）の下面の略平面視の面積は、５０〜２５０ｃｍ２の範囲が好ましい。この場合略平面視とは下面の起伏がないものとした、すなわち摩擦子（２）の底面の面積である。この範囲にすることで、人の触感に関連する範囲を代表するものとして好ましい。
【００２７】
本考案の牽引手段（３）としては、特に限定されないが、金属製の棒や金属製の線材や複数の線材を撚り合わせたワイヤを挙げることができる。なお、摩擦子（２）を略水平方向に牽引する速度が１０〜２５ｍｍ／秒の範囲が好ましい。この範囲にすることで、カーペットの表面を撫でる時に近い速度で評価を行うことができるので好ましい。
【００２８】
本考案のロードセル（４）は、特に限定されないが、摩擦子（２）の質量を考慮して選定すればよい。そして、ロードセル（４）からの電気信号を増幅し数値化する計測器に接続することで、測定データの収集や演算処理、表示等することができる。なお、コンピュータを利用することで数値処理が比較的簡単に行うことができる。
【００２９】
本考案の移動手段（５）としては、特に限定されないが、螺旋状に溝を設けた棒の回転や、巻き上げ手段を挙げることができる。いずれの手段も動力にモータを用いるのが好ましい。
【産業上の利用可能性】
【００３０】
パイル糸を有するカーペットは織物等の布地と異なるため、従来の織物の表面試験機では評価が難しかったパイル表面手ざわりを踏まえた評価をすることができるカーペット風合い試験装置として有用である。
【符号の説明】
【００３１】
１・・・カーペットの風合い試験装置
２・・・摩擦子
３・・・牽引手段
４・・・ロードセル
５・・・移動手段
６・・・モータ
７・・・プレート
８・・・滑車
９・・・テーブル
１０・・・滑車保持手段
１１・・・試験片
１２・・・ストッパー
１３・・・支柱
【図１】
0003215700.tif 000003
【図２】
0003215700.tif 000004
【図３】
0003215700.tif 000005